(57)【要約】【課題】重要事項を速やかに提示することを目的としている。【解決手段】端末装置と、前記端末装置からコンテンツデータを受信する情報処理装置とを有する情報処理システムであって、重要事項とされる情報が格納された参照記憶部を参照し、前記コンテンツデータから前記重要事項とされる情報と対応する重要事項情報を抽出する重要事項抽出部と、抽出された前記重要事項情報を重要事項記憶部に格納する重要事項格納部と、前記重要事項情報の表示要求を受けて、前記重要事項記憶部に格納された前記重要事項情報を表示装置に表示させる表示制御部と、を有する。【選択図】図４
2018155831.tif 000002
【特許請求の範囲】
【請求項１】
端末装置と、前記端末装置からコンテンツデータを受信する情報処理装置とを有する情報処理システムであって、
重要事項とされる情報が格納された参照記憶部を参照し、前記コンテンツデータから前記重要事項とされる情報と対応する重要事項情報を抽出する重要事項抽出部と、
抽出された前記重要事項情報を重要事項記憶部に格納する重要事項格納部と、
前記重要事項情報の表示要求を受けて、前記重要事項記憶部に格納された前記重要事項情報を表示装置に表示させる表示制御部と、を有する情報処理システム。
【請求項２】
前記コンテンツデータは、前記端末装置の表示装置に表示された画面のページを示すページデータを含み、
前記重要事項抽出部は、
前記ページに前記重要事項とされる情報である画像が存在するか否かを判定し、
前記画像が存在するとき、前記ページデータにおける前記画像を含む所定領域の画像データと、前記所定領域に入力された描画データとを、重畳した画像データを、前記重要事項情報として抽出する、請求項１記載の情報処理システム。
【請求項３】
前記コンテンツデータは、前記端末装置の表示装置に表示された画面のページを示すページデータと、前記端末装置において集音された音声データと、を含み、
前記重要事項抽出部は、
音声認識機能によって前記音声データから変換されテキストデータに、前記重要事項とされる情報であるキーワードが含まれるとき、
前記ページデータから、前記音声データが集音された時刻を含む所定の時間帯において入力された描画データを、前記重要事項情報として抽出する、請求項１又は２記載の情報処理システム。
【請求項４】
前記重要事項抽出部は、
前記ページデータから、前記音声データが集音された時刻を含む所定の時間帯において入力された描画データと、前記ページデータにおいて前記描画データと重なっている画像の画像データと、を前記重要事項情報として抽出する、請求項３記載の情報処理システム。
【請求項５】
前記重要事項情報を更新する重要事項更新部を有し、
前記表示制御部は、
前記重要事項情報の表示要求を受けて、前記重要事項情報と、前記重要事項情報の抽出元となるページのページデータとを表示させ、
前記重要事項更新部は、
表示されたページにおいて領域が指定されたとき、前記抽出元のページデータのうち、指定された前記領域内の画像データを新たな前記重要事項情報とする、請求項２乃至４の何れ一項に記載の情報処理システム。
【請求項６】
前記端末装置と対応付けられたカード読取装置に翳されたカードのカード識別情報を読み取るカード読取部と、
前記カード識別情報と前記コンテンツデータとを対応付けるカード情報対応付け部と、を有し、
前記重要事項抽出部は、
前記重要事項情報が抽出されたコンテンツデータと対応付けられたカード識別情報を、前記重要事項情報と共に抽出する、請求項１乃至５の何れか一項に記載の情報処理システム。
【請求項７】
前記端末装置は、
集音装置を有する電子黒板である、請求項１乃至６の何れか一項に記載の情報処理システム。
【請求項８】
端末装置からコンテンツデータを受信する情報処理装置であって、
重要事項とされる情報が格納された参照記憶部を参照し、前記コンテンツデータから前記重要事項とされる情報と対応する重要事項情報を抽出する重要事項抽出部と、
抽出された前記重要事項情報を重要事項記憶部に格納する重要事項格納部と、
前記重要事項情報の表示要求を受けて、前記重要事項記憶部に格納された前記重要事項情報を端末装置へ送信する送信部と、を有する情報処理装置。
【請求項９】
端末装置と、前記端末装置からコンテンツデータを受信する情報処理装置とを有する情報処理システムによる情報処理方法であって、前記情報処理システムが、
重要事項とされる情報が格納された参照記憶部を参照し、前記コンテンツデータから前記重要事項とされる情報と対応する重要事項情報を抽出し、
抽出された前記重要事項情報を重要事項記憶部に格納し、
前記重要事項情報の表示要求を受けて、前記重要事項記憶部に格納された前記重要事項情報を表示装置に表示させる、を有する情報処理方法。
【請求項１０】
端末装置からコンテンツデータを受信する情報処理装置に、
重要事項とされる情報が格納された参照記憶部を参照し、前記コンテンツデータから前記重要事項とされる情報と対応する重要事項情報を抽出する処理と、
抽出された前記重要事項情報を重要事項記憶部に格納する処理と、
前記重要事項情報の表示要求を受けて、前記重要事項記憶部に格納された前記重要事項情報を端末装置に送信する処理と、を実行させるプログラム。
【発明の詳細な説明】
【技術分野】
【０００１】
本発明は、情報処理システム、情報処理装置、情報処理プログラム及び情報処理方法に関する。
【背景技術】
【０００２】
近年では、会議等において、画面に描画された文字、数字、図形等のストローク情報、画面に表示された画像や使用されたファイル等を参加者間で共有し、編集を可能とする電子黒板を用いたシステムが知られている。
【０００３】
このような電子黒板等では、例えば、同一黒板面上にユーザ画像と、ユーザ画像の加工を指示する制御データを混在して記載することで、ユーザ画像に対する加工指示を行い、編集操作を容易にする技術が既に知られている。
【発明の概要】
【発明が解決しようとする課題】
【０００４】
上述した従来の電子黒板等を望いたシステムでは、会議での決定事項や、活動項目（アクション・アイテム）等の重要事項を確認しようとした場合、議事録を作成して確認する、重要事項をまとめたページを作成する等の手順が必要となる。このため、従来では、会議で決められた重要事項を会議中に確認しないまま会議が終了する場合があり、このような場合には、重要事項に基づく対応を迅速に開始することが困難であった。
【０００５】
開示の技術は、上記事情に鑑みてなされたものであり、重要事項を速やかに提示することを目的としている。
【課題を解決するための手段】
【０００６】
開示の技術は、端末装置と、前記端末装置からコンテンツデータを受信する情報処理装置とを有する情報処理システムであって、重要事項とされる情報が格納された参照記憶部を参照し、前記コンテンツデータから前記重要事項とされる情報と対応する重要事項情報を抽出する重要事項抽出部と、抽出された前記重要事項情報を重要事項記憶部に格納する重要事項格納部と、前記重要事項情報の表示要求を受けて、前記重要事項記憶部に格納された前記重要事項情報を表示装置に表示させる表示制御部と、を有する情報処理システムである。
【発明の効果】
【０００７】
重要事項を速やかに提示することができる。
【図面の簡単な説明】
【０００８】
【図１】第一の実施形態の情報処理システムのシステム構成の一例を示す図である。
【図２】第一の実施形態の電子黒板のハードウェア構成の一例を示す図である。
【図３】第一の実施形態のサーバ装置のハードウェア構成の一例を示す図である。
【図４】第一の実施形態の情報処理システムの有する各装置の機能を説明する図である。
【図５】第一の実施形態のコンテンツデータベースの一例を示す図である。
【図６】第一の実施形態の参照データベースの一例を示す図である。
【図７】第一の実施形態の重要事項データベースの一例を示す図である。
【図８】第一の実施形態のサーバ装置の処理を説明するフローチャートである。
【図９】第一の実施形態のサーバ装置による重要事項の抽出を説明する図である。
【図１０】第一の実施形態における電子黒板での重要事項情報の更新を説明するフローチャートである。
【図１１】第一の実施形態の電子黒板における重要事項情報の表示の一例を示す図である。
【図１２】第二の実施形態のサーバ装置の処理を説明するフローチャートである。
【図１３】第二の実施形態のサーバ装置による重要事項の抽出を説明する図である。
【図１４】第二の実施形態のサーバ装置による重要事項の抽出を説明する図である。
【図１５】第三の実施形態のコンテンツデータベースの一例を示す図である。
【図１６】第三の実施形態の重要事項データベースの一例を示す図である。
【図１７】第三の実施形態の電子黒板における重要事項情報の表示の一例を示す図である。
【発明を実施するための形態】
【０００９】
（第一の実施形態）
以下に図面を参照して、第一の実施形態について説明する。図１は、第一の実施形態の情報処理システムのシステム構成の一例を示す図である。
【００１０】
本実施形態の情報処理システム１００は、電子黒板２００と、サーバ装置３００と、を有する。情報処理システム１００において、電子黒板２００とサーバ装置３００とは、ネットワークＮを介して接続される。
【００１１】
本実施形態の情報処理システム１００において、電子黒板２００は、手書き入力された文字や画像等を示すストローク情報、電子黒板２００の画面をキャプチャした画像データ、マイク等の集音装置よって集音された音声データ等を、サーバ装置３００に送信する。尚、本実施形態の電子黒板２００は、ストローク情報や画像データ、音声データを取得したときの日時を、取得した情報と対応付けてサーバ装置３００に送信しても良い。
【００１２】
以下の説明では、電子黒板２００からサーバ装置３００に送信される各種のデータをコンテンツデータと呼ぶ。したがって、本実施形態のコンテンツデータは、音声データ、画像データ、動画データ、ストローク情報と、それぞれの情報を受信した日時を示す情報等を含む。
【００１３】
また、本実施形態の電子黒板２００は、例えば、ある会議において使用された場合、会議名を特定する情報と、会議中に電子黒板２００が取得したコンテンツデータとを対応付けてサーバ装置３００へ送信しても良い。
【００１４】
本実施形態のサーバ装置３００は、受信したコンテンツデータを格納する。このとき、サーバ装置３００では、電子黒板２００から取得したコンテンツデータが、会議毎に格納されても良い。また、本実施形態の電子黒板２００は、サーバ装置３００の有する音声認識機能を用いて、発話データに基づく操作指示（コマンド）を受け付ける音声操作が行われても良い。
【００１５】
尚、本実施形態の音声データは、電子黒板２００の周辺で発話した人の声や、人の声以外の様々な音等、集音装置が集音した全ての音の音声データである。したがって、本実施形態では、電子黒板２００の周辺で発話した人の声を示す発話データは、音声データの一部である。
【００１６】
さらに、本実施形態のサーバ装置３００は、電子黒板２００から受信したコンテンツデータから、電子黒板２００を用いて行われた会議等における決定事項や、アクション・アイテム（以下、活動項目と呼ぶ）等の重要事項を示す重要事項情報を抽出する。そして、本実施形態のサーバ装置３００は、例えば、電子黒板２００からの重要事項情報の表示要求を受けて、重要事項情報を電子黒板２００に表示させる。
【００１７】
本実施形態では、このように、コンテンツデータから随時重要事項情報を抽出して保持しておくことで、電子黒板２００を用いた会議の途中や、会議終了時等の任意のタイミングで、会議の参加者に、会議で決定された重要事項を迅速に提示することができる。
【００１８】
つまり、本実施形態のサーバ装置３００は、電子黒板２００から送信されたコンテンツデータに含まれる重要事項情報を抽出し、電子黒板２００に提供する重要事項抽出サービスを提供するものと言える。
【００１９】
尚、図１では、サーバ装置３００にコンテンツデータを送信する機器を電子黒板２００としているが、これに限定されない。本実施形態の情報処理システム１００において、サーバ装置３００にコンテンツデータを送信する機器は、例えば、タブレット型端末、スマートフォン等のように、手書き入力を行える電子機器であっても良い。
【００２０】
次に、本実施形態の情報処理システム１００の有する各装置について説明する。図２は、第一の実施形態の電子黒板のハードウェア構成の一例を示す図である。
【００２１】
本実施形態の電子黒板２００は、入力装置２１と、表示装置２２と、外部Ｉ／Ｆ２３と、通信Ｉ／Ｆ２４と、ＲＯＭ２５（Read Only Memory）とを有する。また、本実施形態の電子黒板２００は、ＲＡＭ（Random Access Memory）２６と、ＣＰＵ（Central Processing Unit）２７と、ＨＤＤ（Hard Disk Drive）２８と、集音装置２９と、撮像装置３０と、を有する。これらの各ハードウェアは、それぞれがバスＢ１で接続されている。
【００２２】
入力装置２１は、タッチパネル等であり、ユーザによる各種操作（例えば、音声テキスト変換（日本語）や音声テキスト変換（英語）等の機能の選択操作）を入力するのに用いられる。表示装置２２は、ディスプレイ等であり、各種情報（例えば、音声テキスト変換（日本語）による変換結果を示すテキスト等）を表示する。尚、本実施形態では、タッチパネルが、入力装置と２１と表示装置２２の両方を兼ねていても良い。
【００２３】
外部Ｉ／Ｆ２３は、外部装置とのインターフェースである。外部装置には、記録媒体２３ａ等がある。これにより、電子黒板２００は、外部Ｉ／Ｆ２３を介して、記録媒体２３ａ等の読み取りや書き込みを行うことができる。なお、記録媒体２３ａには、例えば、ＵＳＢメモリやＣＤ、ＤＶＤ、ＳＤメモリカード等がある。
【００２４】
通信Ｉ／Ｆ２４は、電子黒板２００をネットワークＮ１等に接続するためのインターフェースである。これにより、電子黒板２００は、通信Ｉ／Ｆ２４を介して、他の装置（と通信を行うことができる。
【００２５】
ＨＤＤ２８は、プログラムやデータを格納している不揮発性の記憶装置である。ＨＤＤ２８に格納されるプログラムやデータには、電子黒板２００全体を制御する基本ソフトウェアであるＯＳ（Operating System）、ＯＳ上において各種機能を提供するアプリケーションプログラム等がある。
【００２６】
また、ＨＤＤ２８は、格納しているプログラムやデータを所定のファイルシステム及び／又はＤＢ（データベース）により管理している。なお、電子黒板２００は、ＨＤＤ２８に代えて、記録媒体としてフラッシュメモリを用いるドライブ装置（例えばソリッドステートドライブ：ＳＳＤ）を有していても良い。
【００２７】
ＲＯＭ２５は、電源を切ってもプログラムやデータを保持することができる不揮発性の半導体メモリである。ＲＯＭ２５には、電子黒板２００の起動時に実行されるＢＩＯＳ（Basic Input/Output System）、ＯＳ設定、及びネットワーク設定等のプログラムやデータが格納されている。ＲＡＭ２６は、プログラムやデータを一時保持する揮発性の半導体メモリである。
【００２８】
ＣＰＵ２７は、ＲＯＭ２５やＨＤＤ２８等の記憶装置からプログラムやデータをＲＡＭ２６上に読み出し、処理を実行することで、電子黒板２００全体の制御や機能を実現する演算装置である。
【００２９】
集音装置２９は、例えばマイクロフォン（マイク）等であり、電子黒板２００の周囲の音を集音する。
【００３０】
撮像装置３０は、例えばカメラ等であり、電子黒板２００の周辺の画像を撮像する。具体的には、例えば、撮像装置３０は、電子黒板２００を用いて会議等を行っている様子等を撮像する。
【００３１】
本実施形態の電子黒板２００は、図２に示すハードウェア構成を有することにより、後述するような各種処理を実現できる。
【００３２】
次に、図３を参照して、本実施形態のサーバ装置３００のハードウェア構成について説明する。図３は、第一の実施形態のサーバ装置のハードウェア構成の一例を示す図である。
【００３３】
本実施形態のサーバ装置３００は、一般の情報処理装置であり、それぞれバスＢで相互に接続されている入力装置３１、出力装置３２、ドライブ装置３３、補助記憶装置３４、メモリ装置３５、演算処理装置３６及びインターフェース装置３７を有する。
【００３４】
入力装置３１は、例えばマウスやキーボードであり、各種の情報を入力するために用いられる。出力装置３２は、例えばディスプレイ等であり、各種信号の表示（出力）に用いられる。インターフェース装置３７は、モデム，ＬＡＮカード等を含み、ネットワークに接続する為に用いられる。
【００３５】
情報処理プログラムは、サーバ装置３００を制御する各種プログラムの少なくとも一部である。情報処理プログラムは例えば記録媒体３８の配布やネットワークからのダウンロードなどによって提供される。情報処理プログラムを記録した記録媒体３８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３６】
また、情報処理プログラムを記録した記録媒体３８がドライブ装置３３にセットされると、情報処理プログラムは記録媒体３８からドライブ装置３３を介して補助記憶装置３４にインストールされる。ネットワークからダウンロードされた通信プログラムは、インターフェース装置３７を介して補助記憶装置３４にインストールされる。
【００３７】
補助記憶装置３４は、インストールされた情報処理プログラムを格納すると共に、必要なファイル、データ等を格納する。メモリ装置３５は、コンピュータの起動時に補助記憶装置３４から情報処理プログラムを読み出して格納する。そして、演算処理装置３６はメモリ装置３５に格納された各プログラムに従って、後述するような各種処理を実現している。
【００３８】
次に、図４を参照して、情報処理システム１００の有する各装置の機能について説明する。図４は、第一の実施形態の情報処理システムの有する各装置の機能を説明する図である。
【００３９】
始めに、電子黒板２００の機能について説明する。以下に説明する電子黒板２００の各部は、ＣＰＵ２７がＲＯＭ２５等に格納されたプログラムを読み出して実行することで実現される。
【００４０】
本実施形態の電子黒板２００は、表示制御部２１０、入力部２２０、集音部２３０、ページ記録部２４０、送信部２５０、受信部２６０、重要事項取得部２７０、重要事項更新部２８０を有する。
【００４１】
本実施形態の表示制御部２１０は、例えば電子黒板２００と接続されたコンピュータから出力される映像や、電子黒板２００に入力された各種のファイル、遠隔地に設置された他の電子黒板２００に表示されている画像等を、表示装置２２に表示させる。
【００４２】
本実施形態の入力部２２０は、電子黒板２００の有するタッチパネル（入力装置２１、表示装置２２）に対して手書き入力された文字や画像を示すストローク情報や、タッチパネルに表示された画像の画像データ等を取得する。尚、本実施形態のストローク情報とは、タッチパネルに対して手書き入力が行われた場合の、利用者による一画毎の軌跡を示す点群の座標報である。また、入力部２２０は、撮像装置３０により撮影された動画データ等を取得する。本実施形態では、動画データは、画像データに含まれる。
【００４３】
本実施形態の集音部２３０は、集音装置２９に入力された音声を音声データとして取得する。また、集音部２３０は、映像と共に入力される音声データを取得する。
【００４４】
本実施形態のページ記録部２４０は、表示装置２２に表示された画面の画像と、入力部２２０が受け付けたストローク情報によって描画された文字や図形等をまとめて１つのページデータとして記録する。本実施形態では、ページデータは、画像データに含まれる。尚、ページ記録部２４０により記録されたページデータは、コンテンツデータの一部としてサーバ装置３００に送信される。
【００４５】
本実施形態の送信部２５０は、入力部２２０が受け付けた各種のデータや、集音部２３０が取得した音声データ等を含むコンテンツデータをサーバ装置３００へ送信する。
【００４６】
本実施形態の受信部２６０は、サーバ装置３００から送信される情報を受信する。具体的には、受信部２６０は、例えば、サーバ装置３００から送信される重要事項情報を受信する。
【００４７】
本実施形態の重要事項取得部２７０は、入力部２２０が、重要事項情報の表示要求を受け付けたとき、サーバ装置３００に対して重要事項情報の取得要求を行い、重要事項情報を取得する。尚、取得された重要事項情報は、表示制御部２１０によって、電子黒板２００の表示装置２２に表示されても良い。
【００４８】
また、本実施形態の重要事項取得部２７０は、表示要求を受けた重要事項情報と共に、重要事項情報が抽出されたページのページデータを取得しても良い。尚、本実施形態では、重要事項情報と、重要事項情報が抽出されたページデータとは、サーバ装置３００において対応付けられている。
【００４９】
本実施形態の重要事項更新部２８０は、表示装置２２に表示された重要事項情報に対する更新を行う。具体的には、重要事項更新部２８０は、例えば、重要事項情報と共に取得されたページデータにおいて、重要事項の抽出に対して修正が行われた場合や、新たな重要事項が追加された場合等に、このページデータと対応付けられた重要事項情報を更新する。重要事項更新部２８０の処理の詳細は後述する。
【００５０】
次に、本実施形態のサーバ装置３００の機能について説明する。本実施形態のサーバ装置３００は、コンテンツデータベース３１０、参照データベース３２０、重要事項データベース３３０を有する。図４では、これらの各データベースは、サーバ装置３００に設けられるものとしているが、これに限定されない。これらの各データベースは、サーバ装置３００の外部の記憶装置等に設けられていても良い。各データベースの詳細は後述する。
【００５１】
また、本実施形態のサーバ装置３００は、送信部３４０、受信部３５０、音声認識部３６０、コンテンツ格納部３７０、重要事項抽出部３８０、重要事項格納部３９０を有する。本実施形態のサーバ装置３００の有する各部は、サーバ装置３００の演算処理装置３６が、メモリ装置３５等に格納されたプログラムを実行することで実現される。
【００５２】
コンテンツデータベース３１０は、電子黒板２００から受信した各種のデータ（コンテンツ）が格納される。本実施形態のコンテンツとは、音声データ、画像データ、動画データ、ストローク情報を含む。
【００５３】
参照データベース３２０は、コンテンツデータから重要事項情報を抽出する際に、重要事項抽出部３８０に参照される。本実施形態の参照データベース３２０は、例えば、重要事項情報として抽出すべき情報が予め格納されている。
【００５４】
本実施形態では、参照データベース３２０に格納された情報は、例えば、機械学習等によって学習された結果の情報である。参照データベース３２０に格納された情報は、具体的には、例えば、重要事項とされる画像（マークや図形）の画像データや、重要事項とされるキーワードを示すテキストデータである。本実施形態の参照データベース３２０は、コンテンツデータから重要事項情報が抽出される度に、抽出結果に基づく機械学習によって更新されていっても良い。
【００５５】
重要事項データベース３３０は、重要事項抽出部３８０により抽出された重要事項情報が格納される。重要事項データベース３３０の詳細は後述する。
【００５６】
本実施形態の送信部３４０は、サーバ装置３００から外部装置に対して各種の情報を送信する。具体的には、送信部３４０は、重要事項データベース３３０に格納された重要事項情報を電子黒板２００に送信する。
【００５７】
本実施形態の受信部３５０は、電子黒板２００から、コンテンツデータや、重要事項情報の取得要求等を受信する。
【００５８】
本実施形態の音声認識部３６０は、コンテンツデータに含まれる音声データを、音声認識機能によってテキストデータに変換する。音声認識部３６０の音声認識機能は、例えば、人工知能等によって実現されても良い。
【００５９】
本実施形態のコンテンツ格納部３７０は、受信部３５０がコンテンツデータを受信すると、このコンテンツデータをコンテンツデータベース３１０に格納する。
【００６０】
重要事項抽出部３８０は、参照データベース３２０を参照し、コンテンツデータベース３１０に格納されたコンテンツデータから、重要事項情報を抽出する。
【００６１】
重要事項格納部３９０は、重要事項抽出部３８０により抽出された重要事項情報を重要事項データベース３３０に格納する。尚、本実施形態の重要事項格納部３９０は、重要事項情報を格納する際に、重要事項情報を、重要事項情報が抽出されたコンテンツデータが取得された日時や、コンテンツデータと対応付けられた会議の名称等と対応付けて格納しても良い。
【００６２】
次に、図５乃至図７を参照して、本実施形態のサーバ装置３００の有する各データベースについて説明する。図５は、第一の実施形態のコンテンツデータベースの一例を示す図である。
【００６３】
本実施形態のコンテンツデータベース３１０は、情報の項目として、会議ＩＤ、日付、時刻、コンテンツデータを含む。
【００６４】
項目「会議ＩＤ」の値は、電子黒板２００を用いて開催されている会議を特定するための識別子である。項目「日付」の値は、対応する会議ＩＤで特定される会議が開催された日付を示す。項目「時刻」の値は、対応するコンテンツデータが取得された時刻を示す。項目「コンテンツデータ」の値は、電子黒板２００から受信したコンテンツデータである。
【００６５】
図５の例では、２０１７年２月１０日に開催された会議ＩＤ「００１」の会議において、電子黒板２００は、１０：００に音声データ０１．ｍｐｇを取得し、１０：０１にページデータ０１．ｊｍｐｇを取得し、１０：０３に描画データ０１．ｊｐｇを取得したことがわかる。尚、本実施形態の描画データとは、電子黒板２００の入力装置に対して入力されたストローク情報により描画される画像の画像データを示す。
【００６６】
また、コンテンツデータベース３１０には、音声認識部３６０によって音声データから変換されたテキストデータがコンテンツデータとして格納されても良い。また、コンテンツデータベース３１０には、描画データが示す画像を形成するストローク情報がコンテンツデータとして格納されていても良い。
【００６７】
また、コンテンツデータベース３１０には、会議ＩＤと対応付けられた会議名等が含まれても良い。
【００６８】
図６は、第一の実施形態の参照データベースの一例を示す図である。本実施形態の参照データベース３２０は、重要事項として抽出される対象のマーク、マーカの色、キーワードが格納されている。
【００６９】
図６の例では、重要事項とされるマークとして、星型のマークや矢印等が対応付けられている。尚、重要事項とされるマークは、それぞれが、画像データとして、参照データベース３２０に保持されても良い。
【００７０】
また、図６の例では、マーカの色として、赤色、青色が重要事項とされる色として対応付けられている。また、図６の例では、重要事項とされるキーワードとして、「アクション・アイテム」、「決定事項」等のキーワードが対応付けられている。
【００７１】
図７は、第一の実施形態の重要事項データベースの一例を示す図である。本実施形態の重要事項データベース３３０は、情報の項目として、会議ＩＤ、日付、重要事項、ページデータを有し、それぞれの項目が対応付けられている。以下の説明では、重要事項データベース３３０において、項目「会議ＩＤ」、「日付」、「重要事項」、「ページデータ」の値を含む情報を重要事項情報と呼ぶ。
【００７２】
項目「日付」は、「重要事項」が含まれるコンテンツデータが取得された日付を示す。項目「重要事項」の値は、コンテンツデータから抽出された重要事項を示す。項目「ページデータ」の値は、重要事項として抽出された重要事項の画像データを示す。
【００７３】
尚、重要事項データベース３３０は、情報の項目として、コンテンツデータが取得された時刻を含んでいても良い。また、本実施形態の重要事項情報には、項目「ページデータ」の値は含まれなくても良い。重要事項情報には、項目「会議ＩＤ」と項目「重要事項」の値が含まれれば良い。
【００７４】
図７の例では、２０１７年２月１０日に開催された会議ＩＤ「００１」の会議において、画像データ１１．ｊｐｇが重要事項として抽出されたことがわかる。
【００７５】
尚、本実施形態のサーバ装置３００では、ＯＣＲ（Optical Character Recognition）を有し、重要事項情報として抽出された画像データによって示される画像の文字認識を行っても良い。その場合、サーバ装置３００は、重要事項情報に、画像データから文字認識されたテキストデータを含めてもよい。本実施形態では、この処理を行うことで、重要事項をテキストデータとして記憶することができる。
【００７６】
次に、図８を参照して、本実施形態のサーバ装置３００の動作について説明する。図８は、第一の実施形態のサーバ装置の処理を説明するフローチャートである。
【００７７】
尚、本実施形態のサーバ装置３００は、受信部３５０によりコンテンツデータを受信し、コンテンツ格納部３７０によりコンテンツデータをコンテンツデータベース３１０に格納する度に、図８の処理を実行する。また、本実施形態では、サーバ装置３００は、所定の間隔毎に電子黒板２００からコンテンツデータを受信しても良い。
【００７８】
本実施形態のサーバ装置３００は、重要事項抽出部３８０により、コンテンツデータベース３１０を参照し（ステップＳ８０１）、コンテンツデータベース３１０にコンテンツデータが格納されているか否かを判定する（ステップＳ８０２）。ステップＳ８０２において、コンテンツデータベース３１０にコンテンツデータが格納されていない場合、サーバ装置３００は、処理を終了する。
【００７９】
ステップＳ８０２において、コンテンツデータが格納されている場合、重要事項抽出部３８０は、このコンテンツデータが画像データであるか否かを判定する（ステップＳ８０３）。
【００８０】
ステップＳ８０３において、コンテンツデータが画像データでない場合、サーバ装置３００は、後述するステップＳ８０８に進む。
【００８１】
ステップＳ８０３において、コンテンツデータが画像データである場合、サーバ装置３００は、重要事項抽出部３８０により、参照データベース３２０と画像データとを照合する（ステップＳ８０４）。
【００８２】
続いて、重要事項抽出部３８０は、画像データに、参照データベース３２０に格納された画像データと一致するもの、又は類似するものが存在するか否かを判定する（ステップＳ８０５）。尚、重要事項抽出部３８０は、既存の画像比較の技術によって、両者において一致する画像データや類似する画像データの有無を判定すれば良い。
【００８３】
ステップＳ８０５において、画像データに、重要事項とされる画像データが存在しない場合、サーバ装置３００は、処理を終了する。
【００８４】
ステップＳ８０５において、画像データに、重要事項とされる画像データが含まれる場合、重要事項抽出部３８０は、画像データから、重要事項とされる画像（マークや図形）と、この画像の周囲の画像の画像データを抽出する（ステップＳ８０６）。
【００８５】
尚、重要事項とされる画像の周辺の画像とは、重要事項とされる画像を含む所定の領域内に入力されたストローク情報により描画される画像と、画面に表示されていたページデータにおける所定の領域内の画像と、を含む。言い換えれば、重要事項とされる画像の周辺の画像とは、画面に表示されていたページデータにおける所定の領域内の画像と、所定の領域内に入力されたストローク情報により描画される画像と、を重畳した画像である。
【００８６】
続いて、サーバ装置３００は、重要事項格納部３９０により、抽出された画像データを重要事項データベース３３０に格納し（ステップＳ８０７）、処理を終了する。
【００８７】
ステップＳ８０３において、コンテンツデータが画像データでない場合、重要事項抽出部３８０は、コンテンツデータが音声データであるか否かを判定する（ステップＳ８０８）。ステップＳ８０８において、コンテンツデータが音声データでない場合、サーバ装置３００は、処理を終了する。尚、コンテンツデータが、画像データでも、音声データでもない場合とは、コンテンツデータが例えばストローク情報である場合等である。
【００８８】
ステップＳ８０８において、コンテンツデータが音声データである場合、サーバ装置３００は、音声認識部３６０により、音声データをテキストデータに変換する（ステップＳ８０９）。続いて、サーバ装置３００は、重要事項抽出部３８０により、テキストデータと参照データベース３２０と照合する（ステップＳ８１０）。
【００８９】
そして、重要事項抽出部３８０は、テキストデータに、重要事項とされるキーワードが含まれるか否かを判定する（ステップＳ８１１）。ステップＳ８１１において、該当するキーワードが含まれない場合、サーバ装置３００は、処理を終了する。
【００９０】
ステップＳ８１１において、該当するキーワードが含まれる場合、重要事項抽出部３８０は、コンテンツデータベース３１０から、電子黒板２００において音声データが取得された時刻の前後の時間帯において入力された画像データを抽出し（ステップＳ８１２）、ステップＳ８０７へ進む。
【００９１】
音声データが取得された時刻の前後の時間帯に入力された画像データとは、例えば、音声データが取得された時刻の前後に、電子黒板２００の入力部２２０が受け付けたストローク情報により描画される画像の画像データである。また、本実施形態では、音声データが取得された時刻の前後の時間帯は、予め設定されていても良い。
【００９２】
次に、図９を参照して、本実施形態のサーバ装置３００による重要事項の抽出について、具体的に説明する。図９は、第一の実施形態のサーバ装置による重要事項の抽出を説明する図である。図９では、コンテンツデータに画像データが含まれる場合の例を示す。図９（Ａ）は、電子黒板２００の画面の例を示す図であり、図９（Ｂ）は、重要事項として抽出された画像データの例を示す図である。
【００９３】
ここでは、図９（Ａ）に示す画面２０１に表示された画像データが、コンテンツデータ（ページデータ）としてサーバ装置３００に送信された場合について説明する。
【００９４】
このページデータには、参照データベース３２０において、重要事項とすべきマークの１つであるマーク２０２、２０３が含まれる。したがって、図９の例では、図９（Ｂ）に示すように、画面２０１におけるマーク２０２を含む所定領域内の画像データと、所定領域において入力されたストローク情報によって描画される画像とが重畳された画像２０４の画像データが抽出される。
【００９５】
また、図９の例では、図９（Ｂ）に示すように、画面２０１におけるマーク２０３を含む所定領域内の画像と、所定領域において入力されたストローク情報によって描画される画像とが重畳された画像２０５の画像データが抽出される。
【００９６】
このように、本実施形態によれば、コンテンツデータにおいて、重要事項とされる画像の近傍の画像を抽出することで、画像データにおける重要事項を抽出することができる。
【００９７】
また、本実施形態では、コンテンツデータを取得するたびに、コンテンツデータから重要事項情報を抽出して重要事項データベース３３０に格納する。
【００９８】
このため、本実施形態によれば、会議が終了したときに、この会議中に取得したコンテンツデータに含まれる重要事項情報の抽出が完了することになる。よって、本実施形態では、会議の終了時に、重要事項情報を参加者に提示することができ、重要事項に対する迅速な対応を促すことができる。また、本実施形態では、例えば、会議の途中であっても、それまでに取得されたコンテンツデータに含まれる重要事項情報の抽出が行われている。
【００９９】
このため、本実施形態では、会議の途中であっても、それまでに決められた重要事項を参加者に提示することができ、会議の進行を支援することができる。
【０１００】
次に、本実施形態の電子黒板２００における重要事項情報の更新について説明する。図１０は、第一の実施形態における電子黒板での重要事項情報の更新を説明するフローチャートである。
【０１０１】
本実施形態の電子黒板２００は、入力部２２０により、重要事項情報の表示要求を受け付けたか否かを判定する（ステップＳ１００１）。具体的には、入力部２２０は、電子黒板２００に対する重要事項情報を表示させる操作を受け付けたか否かを判定する。このとき、入力部２２０は、重要事項情報の表示要求と共に会議ＩＤの入力を受け付けても良い。
【０１０２】
ステップＳ１００１において、表示要求を受け付けない場合、電子黒板２００は、表示要求を受け付けるまで待機する。
【０１０３】
ステップＳ１００１において、表示要求を受け付けた場合、電子黒板２００は、送信部２５０により、会議ＩＤと、重要事項情報の表示要求とをサーバ装置３００へ送信する（ステップＳ１００２）。
【０１０４】
続いて、電子黒板２００は、重要事項取得部２７０により、受信部２６０が重要事項情報を取得し、表示制御部２１０により、取得した重要事項情報を表示装置２２に表示させる（ステップＳ１００３）。
【０１０５】
続いて、電子黒板２００は、重要事項情報の更新を指示する操作を受け付けたか否かを判定する（ステップＳ１００４）。電子黒板２００は、所定時間の間、該当する操作を受け付けない場合、処理を終了する。
【０１０６】
ステップＳ１００４において、該当する操作を受け付けた場合、重要事項更新部２８０は、表示制御部２１０により、重要事項情報に含まれるページデータを表示装置２２に表示させる（ステップＳ１００５）。
【０１０７】
このとき、表示制御部２１０は、重要事項情報と、ページデータとが、表示装置２２に同時に表示されるようにしても良い。本実施形態では、重要事項情報と、重要事項情報の抽出元の画面の画像データであるページデータとを同時に閲覧できるように表示させることで、重要事項情報の抽出元の画面において、どの画像が本来の重要事項情報であったかを視認しやすくできる。
【０１０８】
続いて、重要事項更新部２８０は、入力部２２０により、新たな重要事項情報の指定する操作を受け付けると、指定に応じて新たな重要事項情報を抽出する（ステップＳ１００６）。
【０１０９】
具体的には、例えば、重要事項更新部２８０は、入力部２２０により、表示されたページデータに対して、重要事項が表示された領域の指定を受け付けると、指定された領域内のストローク情報により描画される画像を抽出する。そして、重要事項更新部２８０は、ページデータにおける所定領域内の画像に、描画された画像を抽出した画像の画像データを、新たな重要事項としても良い。
【０１１０】
重要事項更新部２８０は、ステップＳ１００３で取得した重要事項情報に含まれる項目「重要事項」の値を、新たに抽出した重要事項である画像データに置き換える。
【０１１１】
続いて、電子黒板２００は、送信部２５０により、重要事項が置き換えられた重要事項情報をサーバ装置３００へ送信し（ステップＳ１００７）、処理を終了する。
【０１１２】
本実施形態では、サーバ装置３００において、電子黒板２００から受信した新たな重要事項情報を重要事項格納部３９０により重要事項データベース３３０に格納することで、重要事項情報の更新が完了する。尚、本実施形態では、更新前の重要事項情報を重要事項データベース３３０に残しておいても良いし、更新前の重要事項情報を更新後の重要事項情報によって上書きしても良い。
【０１１３】
次に、図１１を参照して、電子黒板２００における重要事項情報の表示について説明する。図１１は、第一の実施形態の電子黒板における重要事項情報の表示の一例を示す図である。
【０１１４】
図１１に示す画面１１１は、電子黒板２００の表示装置２２に表示された画面の例である。画面１１１には、重要事項情報の表示が要求された会議が開催された日付と、会議の名称とを含む情報１１２と、重要事項情報の一覧１１３とが表示されている。
【０１１５】
また、重要事項情報の一覧１１３には、重要事項として抽出された画像データが示す画像１１４、１１５が含まれる。尚、本実施形態では、重要事項として、画像データが示す画像１１４、１１５から認識しきテキストデータが表示されても良い。
【０１１６】
このように、本実施形態では、電子黒板２００において、会議で決められた重要事項を表示させることができる。
【０１１７】
（第二の実施形態）
以下に、図面を参照して、第二の実施形態について説明する。第二の実施形態では、サーバ装置３００が電子黒板２００から随時受信する音声データに基づき重要事項情報を抽出する点が、第一の実施形態と相違する。よって、以下の第二の実施形態の説明では、第一の実施形態の説明との相違点についてのみ説明し、第一の実施形態と同様の機能構成を有するものには、第一の実施形態の説明で用いた符号を付与し、その説明を省略する。
【０１１８】
図１２は、第二の実施形態のサーバ装置の処理を説明するフローチャートである。尚、本実施形態では、電子黒板２００は、集音部２３０で集音した音声データを送信部２５０により随時サーバ装置３００へ送信している。
【０１１９】
本実施形態のサーバ装置３００は、受信部３５０により、コンテンツデータの取得を開始する（ステップＳ１２０１）。尚、ここでのコンテンツデータとは、音声データのことである。本実施形態では、電子黒板２００は、音声データのみを随時サーバ装置３００へ送信し、画像データは、所定の間隔毎にサーバ装置３００に送信しても良い。
【０１２０】
続いて、サーバ装置３００は、音声認識部３６０により、受信した音声データに対して音声認識を行い、テキストデータに変換する（ステップＳ１２０２）。
【０１２１】
続いて、サーバ装置３００は、重要事項抽出部３８０により、参照データベース３２０を参照し、テキストデータの中に、重要事項とされるキーワードが存在するか否かを判定する（ステップＳ１２０３）。
【０１２２】
ステップＳ１２０３において、重要事項とされるキーワードが存在しない場合、サーバ装置３００は、ステップＳ１２０２に戻る。
【０１２３】
ステップＳ１２０３において、重要事項とされるキーワードが存在する場合、サーバ装置３００は、電子黒板２００に対し、ページデータの取得要求を行い、電子黒板２００からページデータを取得する（ステップＳ１２０４）。
【０１２４】
続いて、重要事項抽出部３８０は、取得したページデータから、音声データを取得した時刻を含む時間帯において、電子黒板２００に入力された描画データを、重要事項として抽出する（ステップＳ１２０５）。尚、このとき、重要事項抽出部３８０は、ページデータから、描画データと重なる画像データを、描画データと共に取得し、両者を重ねた画像の画像データを重要事項としても良い。
【０１２５】
続いて、サーバ装置３００は、重要事項格納部３９０により、抽出した重要事項を重要事項データベース３３０に格納する（ステップＳ１２０６）。
【０１２６】
続いて、サーバ装置３００は、受信部３５０がコンテンツデータ（音声データ）を受信しているか否かを判定する（ステップＳ１２０７）。ステップＳ１２０７において、音声データの受信が続いている場合には、サーバ装置３００は、ステップＳ１２０２に戻る。
【０１２７】
ステップＳ１２０７において、音声データの受信が終了した場合には、サーバ装置３００は、処理を終了する。尚、音声データの受信が終了したときとは、例えば、会議が終了した場合や、休憩時間に入ったとき等である。
【０１２８】
次に、図１３を参照して、本実施形態のサーバ装置３００による重要事項の抽出について、具体的に説明する。図１３は、第二の実施形態のサーバ装置による重要事項の抽出を説明する図である。図１３（Ａ）は、音声データに重要事項とされるキーワードが存在した場合に、電子黒板２００に表示されていた画面の例を示す図である。図１３（Ｂ）は、抽出された重要事項の例を示す図である。
【０１２９】
図１３（Ａ）の画面２０１Ａは、会議の参加者Ａの音声データから「決定」というキーワードが抽出され、参加者Ｂの音声データから「アクション・アイテム」というキーワードが抽出されたときに表示されていたものである。したがって、本実施形態では、「決定」、「アクション・アイテム」が抽出されたとき、画面２０１Ａに表示されている画像の画像データが、ページデータとして記録され、サーバ装置３００に送信される。
【０１３０】
図１３（Ｂ）に示す画像データ２０４Ａは、「決定」という発話がなされた時刻の前後の時間帯に、電子黒板２００に入力された画像１３１と、画面２０１Ａのページデータにおいて、画像１３１が重なる領域の画像とを重畳した画像を示す。
【０１３１】
また、画像２０５Ａは、「アクション・アイテム」という発話がなされた時刻の前後の時間帯に、電子黒板２００に入力されたストローク情報により描画される画像である。
【０１３２】
このように、本実施形態では、会議の参加者が、重要事項とされるキーワードを発話した前後には、電子黒板２００にも重要事項とされる事項が書き込まれる（入力される）可能性が高いことに着目し、この時間帯に入力された画像データを重要事項として抽出する。
【０１３３】
以上のように、本実施形態によれば、サーバ装置３００は、電子黒板２００が音声データを集音する度に、重要事項が含まれるか否かを判定し、重要事項が含まれる場合には、上述した方法で画像データを抽出し、重要事項データベース３３０に格納する。
【０１３４】
よって、本実施形態によれば、会議中や、会議の終了時等において、その時点までの重要事項を会議の参加者等に提示することができる。
【０１３５】
（第三の実施形態）
以下に、図面を参照して、第三の実施形態について説明する。第三の実施形態では、サーバ装置３００は、コンテンツデータと共に、参加者を特定する識別情報を受信する点が、第一の実施形態と相違する。よって、以下の第三の実施形態の説明では、第一の実施形態の説明との相違点についてのみ説明し、第一の実施形態と同様の機能構成を有するものには、第一の実施形態の説明で用いた符号を付与し、その説明を省略する。
【０１３６】
図１４は、第三の実施形態の情報処理システムの有する各装置の機能を説明する図である。
【０１３７】
本実施形態の情報処理システム１００Ａは、電子黒板２００Ａとサーバ装置３００Ａとを有する。
【０１３８】
本実施形態の電子黒板２００Ａは、第一の実施形態の電子黒板２００の有する各部に加え、カード読取部２９０、カード情報対応付け部２９５を有する。
【０１３９】
本実施形態の電子黒板２００Ａは、例えば、カードリーダ等を有していても良いし、カードリーダと接続されていても良い。本実施形態のカードリーダとは、ＩＣカード等から、このＩＣカードに記録された情報を読み取るカード読取装置である。
【０１４０】
本実施形態のカード読取部２９０は、カードリーダにＩＣカード等が翳されると、ＩＣカードに記録されているカードＩＤを読み取る。本実施形態のカードＩＤは、例えば、ＩＣカードの所有者を特定するためのカード識別情報である。
【０１４１】
カード情報対応付け部２９５は、カード読取部２９０が読み取ったカードＩＤと、コンテンツデータとを対応付ける。
【０１４２】
具体的には、本実施形態では、例えば、カード読取部２９０によりカードＩＤが読み取られてから所定時間内に取得したコンテンツデータを、読み取ったカードＩＤと対応付けられても良い。
【０１４３】
このようにすれば、本実施形態では、例えば、会議の参加者が、発話する前や文字や数字等を書き込む前等に、自身が所持しているカードをカードリーダに翳すだけで、文字、画像、音声等のコンテンツデータと、コンテンツデータを入力した参加者とを対応付けることができる。
【０１４４】
本実施形態の送信部２５０は、コンテンツデータを送信する際に、コンテンツデータに対応付けられたカードＩＤと共に、サーバ装置３００へ送信する。
【０１４５】
次に、本実施形態のサーバ装置３００Ａについて説明する。本実施形態のサーバ装置３００Ａは、コンテンツデータベース３１０Ａと、参照データベース３２０と、重要事項データベース３３０Ａと、を有する。また、本実施形態のサーバ装置３００Ａは、第一の実施形態の有する各部を有する。
【０１４６】
本実施形態のコンテンツデータベース３１０Ａでは、コンテンツデータがカードＩＤと対応付けられて格納される。また、本実施形態の重要事項データベース３３０Ａでは、重要事項がカードＩＤと対応付けられて格納される。
【０１４７】
図１５は、第三の実施形態のコンテンツデータベースの一例を示す図である。本実施形態のコンテンツデータベース３１０Ａは、情報の項目として、会議ＩＤ、日付、カードＩＤ、時刻、コンテンツデータを有する。
【０１４８】
本実施形態では、コンテンツデータとカードＩＤとが対応付けられていることで、重要事項情報の抽出の際に、重要事項を入力した参加者を特定することができる。
【０１４９】
図１６は、第三の実施形態の重要事項データベースの一例を示す図である。本実施形態の重要事項データベース３３０Ａでは、重要事項に、重要事項が含まれるコンテンツデータを入力した参加者のカードＩＤが対応付けられている。
【０１５０】
図１６では、例えば、重要事項として抽出された画像データ１１．ｊｐｇは、カードＩＤ「１００」の参加者によって入力されたコンテンツデータから抽出されたことがわかる。
【０１５１】
尚、本実施形態のサーバ装置３００Ａでは、カードＩＤとカードの所有者の情報とを対応付けたデータベースを予め有しても良い。カードの所有者の情報とは、例えば、カードの所有者の氏名や所属、役職等である。
【０１５２】
本実施形態では、サーバ装置３００Ａがこのようなデータベースを有していれば、重要事項を入力した参加者の氏名や所属、役職等を特定することができる。
【０１５３】
次に、図１７を参照して、本実施形態の電子黒板２００Ａにおける重要事項情報の表示について説明する。図１７は、第三の実施形態の電子黒板における重要事項情報の表示の一例を示す図である。
【０１５４】
図１７に示す画面１１１Ａは、電子黒板２００Ａの表示装置２２に表示された画面の例である。画面１１１Ａには、重要事項情報の表示が要求された会議が開催された日付と、会議の名称とを含む情報１１２と、重要事項情報の一覧１１３Ａとが表示されている。
【０１５５】
また、重要事項情報の一覧１１３Ａには、重要事項として抽出された画像データが示す画像１１４Ａ、１１５Ａが含まれる。
【０１５６】
また、本実施形態では、画像１１４Ａを入力した会議の参加者を示す情報１１６が、画像１１４Ａと対応付けられて表示される。同様に、本実施形態では、画像１１５Ａを入力した会議の参加者を示す情報１１７が、画像１１５Ａと対応付けられて表示される。
【０１５７】
このように、本実施形態では、重要事項を入力した会議の参加者と、重要事項の内容とを対応付けて表示させることができる。
【０１５８】
したがって、本実施形態では、例えば、電子黒板２００Ａにおいて、重要事項が示す事案を担当する参加者が、この事案に関する入力を行えば、重要事項を担当者毎に表示させることができる。
【０１５９】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１６０】
１００、１００Ａ  情報処理システム
２００、２００Ａ  電子黒板
２１０  表示制御部
２２０  入力部
２３０  集音部
２４０  ページ記録部
２５０、３４０  送信部
２６０、３５０  受信部
２７０  重要事項取得部
２８０  重要事項更新部
２９０  カード読取部
２９５  カード情報対応付け部
３００、３００Ａ  サーバ装置
３１０  コンテンツデータベース
３２０  参照データベース
３３０、３３０Ａ  重要事項データベース
３６０  音声認識部
３７０  コンテンツ格納部
３８０  重要事項抽出部
【先行技術文献】
【特許文献】
【０１６１】
【特許文献１】特開２０１２−００８６５号公報
【図１】
2018155831.tif 000003
【図２】
2018155831.tif 000004
【図３】
2018155831.tif 000005
【図４】
2018155831.tif 000006
【図５】
2018155831.tif 000007
【図６】
2018155831.tif 000008
【図７】
2018155831.tif 000009
【図８】
2018155831.tif 000010
【図９】
2018155831.tif 000011
【図１０】
2018155831.tif 000012
【図１１】
2018155831.tif 000013
【図１２】
2018155831.tif 000014
【図１３】
2018155831.tif 000015
【図１４】
2018155831.tif 000016
【図１５】
2018155831.tif 000017
【図１６】
2018155831.tif 000018
【図１７】
2018155831.tif 000019